(57)【要約】      （修正有）【課題】演奏技術に応じて演奏を補助することが可能な楽譜用シールを提供する。【解決手段】台紙Ｐに複数のシール体１を着脱自在に貼着する。楽譜の上部空欄に張り付け自在なサイズにシール体１を形成する。シール体１に、弦楽器の弦の位置を示す弦ライン２を印刷する。シール体１に、フレットの位置を示すフレットライン３を印刷する。空欄部分に書き込み自在に設けた書込みシール体１Ａを設ける。コードダイヤグラムを印刷したコードシール体１Ｂを設ける。書込みシール体１Ａ又はコードシール体１Ｂのいずれか一方又は両方を選択する。【選択図】図１
0003197837.tif 000002
【実用新案登録請求の範囲】
【請求項１】
台紙と、該台紙に着脱自在に貼着された複数のシール体とで構成され、該シール体は楽譜の五線譜の上部空欄に張り付け自在なサイズに形成されると共に、該シール体に、弦楽器の弦の位置を示す弦ラインと、フレットの位置を示すフレットラインとが印刷され、該シール体は、指で押える位置を予め空欄にして書き込み自在に設けた書込みシール体又は、コードダイヤグラムが予め印刷されたコードシール体のいずれか一方又は両方から成ることを特徴とする楽譜用シール。
【請求項２】
前記台紙は、一種類の根音から派生する複数のコードネームに対応するコードダイヤグラムが個別に印刷されたコードシール体を１枚の台紙に複数枚貼着して根音別の台紙Ｐを構成した請求項１記載の楽譜用シール。
【考案の詳細な説明】
【技術分野】
【０００１】
本考案は、弦楽器の演奏を補助するために、任意のコードダイヤグラムを楽譜に張り付けて使用する楽譜用シールに関するものである。
【背景技術】
【０００２】
ギターやウクレレ等の弦楽器には、弦を押さえる位置を示すコードダイヤグラムが使用されている。演奏者は、楽譜に記載されたコード記号の指の位置が分からない場合に、このコード記号に対応するコードダイヤグラムを参照し、指の位置を確認して演奏している。
【０００３】
一方、初心者ではコード記号からコードダイヤグラムを参照する作業が煩雑になるので、このコードダイヤグラムをコード記号と共に印刷した楽譜も提供されている。このような楽譜では、コードの指の位置を確認しながら演奏できるので、初心者の練習に適した楽譜になっている。
【０００４】
一方、鍵盤楽器の速習支援テキストが特許文献１に記載されている。このテキストは、台紙と、この台紙に剥離可能に粘着させた粘着シールとからなる印刷頁を備えたもので、印刷頁には、複数の鍵盤コードを印刷表示している。そして、印刷表示された複数の鍵盤コードを個別に剥離して譜面に貼着するように形成したものである。
【０００５】
このように、必要な鍵盤コードを剥離して譜面に貼着することにより、演奏に必要な複数の鍵盤コードを視覚的に表示できるというものである。
【先行技術文献】
【特許文献】
【０００６】
【特許文献１】実用新案登録第３１８５１８４号公報
【考案の概要】
【考案が解決しようとする課題】
【０００７】
ところが、演奏者が初心者であっても、演奏技術が向上してコード記号に対応する指の位置を記憶してくると、コードダイヤグラムを参照する回数は次第に少なくなり、基本的に使用されるコード記号等はコードダイヤグラムを参照しなくても演奏できるようになっていく。
【０００８】
また、演奏技術がある程度向上した中級者でも、コード記号を全く参照しなくなるものでもなく、難しいコード記号や使用頻度の少ないコード記号などは、その都度コードダイヤグラムから参照することになる。
【０００９】
更に、上級者に至っては、コード記号に示された和音の音を追加したり削除したりして独自のコードを創作して使用するケースもある。この場合、元になるコード記号をコードダイヤグラムで確認するケースもある。また、通常のコードとは全く異なった和音を創作する場合もある。
【００１０】
このように、コード記号を参照するケースは演奏者の技術程度において個人差があるが、演奏技術に応じて演奏を補助できるものはこれまで提供されていなかった。
【００１１】
そこで本考案は上述の課題を解消すべく案出されたもので、演奏技術に応じて演奏を補助することが可能な楽譜用シールの提供を目的とするものである。
【課題を解決するための手段】
【００１２】
上述の目的を達成すべく本考案における第１の手段は、台紙Ｐと、該台紙Ｐに着脱自在に貼着された複数のシール体１とで構成され、該シール体１は楽譜Ｑの五線譜Ｑ１の上部空欄に張り付け自在なサイズに形成されると共に、該シール体１に、弦楽器の弦の位置を示す弦ライン２と、フレットの位置を示すフレットライン３とが印刷されたもので、更に該シール体１は、指で押える位置を予め空欄にして書き込み自在に設けた書込みシール体１Ａ又は、コードダイヤグラムが予め印刷されたコードシール体１Ｂのいずれか一方又は両方から成るものである。
【００１３】
第２の手段の前記台紙Ｐは、一種類の根音から派生する複数のコードネームに対応するコードダイヤグラムが個別に印刷されたコードシール体１Ｂを１枚の台紙Ｐに複数枚貼着して根音別の台紙Ｐを構成している。
【考案の効果】
【００１４】
請求項１のごとく、台紙Ｐに着脱自在に貼着された複数のシール体１に弦楽器の弦の位置を示す弦ライン２と、フレットの位置を示すフレットライン３とを印刷することで、楽譜Ｑの任意の位置にこのシール体１を張り付けることで、弦楽器を演奏する際の補助をすることが可能になるものである。
【００１５】
しかも、シール体１は、指で押える位置を予め空欄にして書き込み自在に設けた書込みシール体１Ａを選択すると、特に上級者の演奏時に、コード記号に示された和音の音を追加したり削除したりして個別のコードを創作して使用する際に好適である。
【００１６】
また、コードダイヤグラムが予め印刷されたコードシール体１Ｂを選択した場合は、覚えきれないコードの押え方を補助するシールとして機能する。したがって、初心者から中級者が演奏するのに好適である。
【００１７】
更に、書込みシール体１Ａとコードシール体１Ｂとの両方を選択した場合は、演奏レベルを問わずに、より創作的な使用が可能になる。
【００１８】
請求項２のように、一種類の根音から派生する複数のコードネームに対応するコードダイヤグラムが個別に印刷されたコードシール体１Ｂを１枚の台紙Ｐに複数枚貼着して根音別の台紙Ｐを構成することで、台紙Ｐをコード毎に管理することが容易になる。しかも、必要なコードシール体１Ｂを簡単に探し出すことも可能になる。
【００１９】
このように本考案によると、演奏技術に応じて演奏を補助することが可能になるなどといった当初の目的を達成することができる。
【図面の簡単な説明】
【００２０】
【図１】本考案の一実施例を示す正面図である。
【図２】本考案の使用状態を示す斜視図である。
【図３】書込みシール体への記入例を示す正面図である。
【図４】根音別の台紙の例を示す正面図である。
【図５】ウクレレ用のシール体で（イ）は書込みシール体、（ロ）はコードシール体の例を示している。
【考案を実施するための形態】
【００２１】
以下、本考案の実施例を説明する。本考案は、台紙Ｐと、該台紙Ｐに着脱自在に貼着された複数のシール体１とで構成されている（図１参照）。
【００２２】
シール体１は、楽譜Ｑの五線譜Ｑ１の上部空欄に張り付け自在なサイズに形成されている（図２参照）。このシール体１には、弦楽器の弦の位置を示す弦ライン２と、フレットの位置を示すフレットライン３とが印刷されている（図１参照）。更に、このシール体１は、書込みシール体１Ａとコードシール体１Ｂから選択することができる。
【００２３】
書込みシール体１Ａは、指で押える位置を予め空欄にして書き込み自在に設けたものである（図３参照）。したがって、揺動軸１Ａには、弦ライン２とフレットライン３のみが印刷されている。そして、演奏者（使用者）は、この書込みシール体１Ａに任意の押え位置を示すマークを記入して使用する。
【００２４】
一方、コードシール体１Ｂは、コードダイヤグラムが予め印刷されたシールである（図４参照）。すなわち、一般に冊子等に印刷されているコードダイヤグラムがコード別にシールの表面に印刷されたものである。このコードシール体１Ｂの記載例は、従来のコードダイヤグラムの記載例のように、任意に変更することができる。
【００２５】
これら書込みシール体１Ａやコードシール体１Ｂは、いずれも弦楽器用に構成されたもので、ギター用の他、ウクレレ用や（図５参照）、ベース用など（図示せず）、任意の弦楽器に対応するものである。
【００２６】
台紙Ｐは、シール体１の剥離紙になるもので、材質や形状は任意に変更できる。また、１枚の台紙Ｐに予め貼着するシール体１の数も適宜変更することが可能である。図示の台紙Ｐは、書込みシール体１Ａとコードシール体１Ｂとを併設している（図１参照）。また、書込みシール体１Ａのみの台紙Ｐやコードシール体１Ｂのみの台紙Ｐを構成しても良い。
【００２７】
更に、図示例では、根音別の台紙Ｐに構成している（図１参照）。すなわち、一種類の根音（図示のＥ）から派生する複数のコードネームに対応するコードダイヤグラムを個別に印刷したものである。このとき、使用頻度の多い基本的なコードの枚数を多めに貼着し、使用頻度の少ないコードの枚数を少なくしている。
【００２８】
尚、本考案において図示例に限定されるものではなく、本考案の要旨を変更しない範囲で設計変更は自由に行える。また本考案の使用例も限定されるものではない。
【符号の説明】
【００２９】
Ｐ  台紙
Ｑ  楽譜
Ｑ１  五線譜
１  シール体
１Ａ  書込みシール体
１Ｂ  コードシール体
２  弦ライン
３  フレットライン
【図１】
0003197837.tif 000003
【図２】
0003197837.tif 000004
【図３】
0003197837.tif 000005
【図４】
0003197837.tif 000006
【図５】
0003197837.tif 000007